(57)【要約】【課題】スケール、スラッジ、腐食等の発生を充分に抑制でき且つイオン交換樹脂の再生頻度を抑制できる水処理システム等を提供すること。【解決手段】水処理システム１は、原水が流れる原水流路１１と、この原水流路１１の途中に設けられイオン交換樹脂１２１ａ及び１２１ｂがそれぞれ収容されたイオン交換器１２ａ及び１２ｂと、を備える。水処理システム１は、イオン交換樹脂１２１ａ及び１２１ｂに供給される供給水に含有されるイオン量を検出する原水流量計１１１及び排出路導電率計２５１を更に備える。【選択図】図１
2007260633.tif 000002
【特許請求の範囲】
【請求項１】
水が流れる流路と、この流路の途中に設けられイオン交換樹脂が収容されたイオン交換手段と、を備える水処理システムであって、
前記イオン交換樹脂に供給される供給水に含有されるイオン量を検出する検出手段を更に備えることを特徴とする水処理システム。
【請求項２】
請求項１記載の水処理システムにおいて、
前記流路は、前記流路における前記イオン交換手段の上流に設けられ前記供給水を採取する採取手段を有し、
前記検出手段は、前記採取手段によって採取された採取水に含有されるイオン濃度を検出する採取水検出手段と、
前記供給水の量を検出する供給水量検出手段と、を有することを特徴とする水処理システム。
【請求項３】
請求項２記載の水処理システムにおいて、
前記採取手段は、前記イオン交換手段の上流において前記流路が分岐した分岐路を有し、
前記採取水検出手段は、前記分岐路に接続されイオン交換樹脂が収容されたイオン分離手段を含み且つ採取水に含有されるイオン濃度を検出するイオン濃度検出手段を有することを特徴とする水処理システム。
【請求項４】
請求項１から３いずれか記載の水処理システムにおいて、
前記イオン交換手段に収容されたイオン交換樹脂の再生を指示する指示情報を報知する報知手段と、
前記水処理システムを制御する制御手段と、を更に備え、
前記制御手段は、前記検出手段による検出値に基づいて得られる前記供給水に含有されるイオン量が、前記イオン交換樹脂のイオン交換容量の第一所定割合に達していた場合には、前記報知手段を起動させる報知判断手段を有することを特徴とする水処理システム。
【請求項５】
請求項４記載の水処理システムにおいて、
前記イオン交換手段は、前記流路の途中に並列して複数設けられ、
前記水処理システムは、前記水が通過する前記イオン交換手段を切り換える切換手段を更に備え、
前記制御手段は、前記検出手段による検出値に基づいて得られる前記供給水に含有されるイオン量が、前記イオン交換樹脂のイオン交換容量の第二所定割合に達していた場合には、前記切換手段を起動する切換判断手段を更に有することを特徴とする水処理システム。
【請求項６】
水が流れる流路と、この流路の途中に設けられイオン交換樹脂が収容されたイオン交換手段と、を備える水処理システムの制御方法であって、
前記イオン交換樹脂に供給される供給水に含有されるイオン量を検出する検出手順と、
前記検出手順における検出値が、前記イオン交換樹脂のイオン交換容量の所定割合に達していた場合には、前記イオン交換樹脂の再生を指示する指示情報を報知する報知手順と、を備えることを特徴とする水処理システムの制御方法。
【発明の詳細な説明】
【技術分野】
【０００１】
本発明は、水処理システム及び水処理システムの制御方法に関する。
【背景技術】
【０００２】
発電所のボイラ等の冷却装置には、冷却水として、地下水、河川水、水道水等の原水が使用されている。原水には、カルシウムイオン、マグネシウムイオン等の金属イオンやシリカイオン（ＳｉＯ２−）といった種々のイオンが溶解しており、これらのイオンが冷却装置内にスケール、スラッジ、腐食等を発生させる原因となっている。
そこで、冷却装置内を循環する原水からイオンを除去する水処理装置が着目されている。
【０００３】
従来の水処理装置は、水が流れる流路と、この流路の途中に設けられイオン交換樹脂が収容されたイオン交換手段と、を有する。
このような水処理装置によれば、流路の途中にイオン交換手段を設けたので、流路を流れる水に含有されるイオンがイオン交換樹脂に吸着されるから、イオンを除去できる。
【０００４】
ところで、イオンの吸着量が増加するにつれて、イオン交換樹脂のイオン吸着能力は低下する。そこで、イオンの吸着能力を回復させるために、所定のタイミングで、イオン交換樹脂に吸着されたイオンを再生する必要がある。
【０００５】
そこで、従来の水処理装置は、水が流れる流路と、この流路の途中に設けられイオン交換樹脂が収容されたイオン交換手段と、イオン交換手段を通過した水に漏出したイオンの存在を検知する漏出検知手段と、を備える（例えば、特許文献１参照）。
このような水処理装置によれば、漏出検知手段を設けたので、この漏出検知手段によりイオンが検知された場合、イオン交換樹脂のイオン吸着能力が不充分であると判断できる。このため、検知手段によるイオンの検知後、イオン交換手段に収容されたイオン交換樹脂を再生する。
【特許文献１】特開２００１−２０５２６１号公報
【発明の開示】
【発明が解決しようとする課題】
【０００６】
しかしながら、上述した特許文献１に示される水処理装置によれば、漏出検知手段がイオンを検知した段階では、既に、一部のイオンが吸着されることなくイオン交換手段を通過し、冷却装置へと導入されている。このため、スケール、スラッジ、腐食等が発生する場合があった。
【０００７】
そこで、早期の段階で、イオン交換樹脂を再生するといった対策も考えられる。しかし、この対策では、イオン交換樹脂の再生頻度が必然的に高くなる場合が多く、再生時の膨潤収縮等が原因となるイオン交換樹脂の劣化の進行が早まる。
【０００８】
本発明は、以上のような課題に鑑みてなされたもので、スケール、スラッジ、腐食等の発生を充分に抑制でき且つイオン交換樹脂の再生頻度を抑制できる水処理システム、水処理システムの制御方法を提供することを目的とする。
【課題を解決するための手段】
【０００９】
本発明者らは、イオン交換樹脂に供給される水に含有するイオン量を検出することで、イオン交換樹脂の適切な再生時期を特定できることを見出し、本発明を完成するに至った。
【００１０】
（１）  水が流れる流路と、この流路の途中に設けられイオン交換樹脂が収容されたイオン交換手段と、を備える水処理システムであって、
前記イオン交換樹脂に供給される供給水に含有されるイオン量を検出する検出手段を更に備えることを特徴とする水処理システム。
【００１１】
（１）の発明によれば、検出手段を設けたので、イオン交換樹脂に供給される供給水に含有されるイオン量が検出されるから、イオン交換樹脂のイオン交換容量の残量値を把握できる。
このため、高濃度に含有する水が流入するような事態が発生する可能性等も適宜考慮し、所望の安全率でイオンの漏出を防止できる、イオン交換容量の下限値を設定すれば、把握されるイオン交換容量の残量値が下限値に至るまで、過不足なく交換すべき対象のイオンをイオン交換樹脂に吸着させることができる。
【００１２】
従って、スケール、スラッジ、腐食等の発生を充分に抑制でき且つイオン交換樹脂の再生頻度を抑制できる。
【００１３】
（２）  （１）記載の水処理システムにおいて、
前記流路は、前記流路における前記イオン交換手段の上流に設けられ前記供給水を採取する採取手段を有し、
前記検出手段は、前記採取手段によって採取された採取水に含有されるイオン濃度を検出する採取水検出手段と、
前記供給水の量を検出する供給水量検出手段と、を有することを特徴とする水処理システム。
【００１４】
（２）の発明によれば、流路に採取手段を設け、検出手段に採取水検出手段及び供給水検出手段を設けたので、採取水検出手段によって採取水に含有されるイオン濃度が検出され、供給水検出手段によって供給水の量が検出される。また、採取水に含有されるイオン濃度は、供給水に含有されるイオン濃度と同視できる。
このため、これらの検出値の積を算出するだけで、供給水に含有されるイオン量が検出されるから、イオン交換樹脂のイオン交換容量の残量値を容易に把握できる。
【００１５】
従って、容易に、スケール、スラッジ、腐食等の発生を充分に抑制でき且つイオン交換樹脂の再生頻度を抑制できる。
【００１６】
（３）  （２）記載の水処理システムにおいて、
前記採取手段は、前記イオン交換手段の上流において前記流路が分岐した分岐路を有し、
前記採取水検出手段は、前記分岐路に接続されイオン交換樹脂が収容されたイオン分離手段を含み且つ採取水に含有されるイオン濃度を検出するイオン濃度検出手段を有することを特徴とする水処理システム。
【００１７】
（３）の発明によれば、採取手段に分岐路を設け、採取水検出手段に吸着量検出手段を設けたので、吸着量検出手段によって採取水に含有されるイオン濃度が検出される。このイオン濃度と、供給水検出手段によって検出された供給水の量との積を算出するだけで、供給水に含有されるイオン量が検出されるから、イオン交換樹脂のイオン交換容量の残量値を容易に把握できる。
【００１８】
イオン交換樹脂は高価であることから、イオン交換樹脂を使用すると、費用的負担が大きくなる場合がある。しかし、（３）の発明によれば、少量の採取水についての調査を行う採取水検出手段に、イオン交換樹脂を使用したので、イオン交換樹脂の使用量も少量で足りるから、使用者に与える費用的負担を軽減できる。
【００１９】
従って、検出手段としてイオン交換樹脂を用いても、容易且つ安価に、スケール、スラッジ、腐食等の発生を充分に抑制でき且つイオン交換樹脂の再生頻度を抑制できる。
【００２０】
（４）  （１）から（３）いずれか記載の水処理システムにおいて、
前記イオン交換手段に収容されたイオン交換樹脂の再生を指示する指示情報を報知する報知手段と、
前記水処理システムを制御する制御手段と、を更に備え、
前記制御手段は、前記検出手段による検出値に基づいて得られる前記供給水に含有されるイオン量が、前記イオン交換樹脂のイオン交換容量の第一所定割合に達していた場合には、前記報知手段を起動させる報知判断手段を有することを特徴とする水処理システム。
【００２１】
（４）の発明によれば、水処理システムは以下のように動作する。
まず、高濃度に含有する水が流入するような事態が発生する可能性等も適宜考慮し、所望の安全率でイオンの漏出を防止できる、イオン交換容量の下限値を設定する。この下限値と、使用するイオン交換樹脂の初期のイオン交換容量と、の差を算出する。例えば、この差がイオン交換樹脂の初期のイオン交換容量において占める割合を、第一所定割合とする。
次に、このイオン交換樹脂をイオン交換手段に収容し、水処理を開始する。検出手段は、イオン交換樹脂に供給される供給水に含有されるイオン量を検出する。
報知判断手段は、原水検出手段による検出値が、再生水検出手段による検出値の第一所定割合に達していた場合には、報知手段を起動させる。
【００２２】
従って、所望の安全率でイオンの漏出を防止できるイオン交換容量の下限値を下回ったような場合には指示情報が報知されるから、イオン交換樹脂を再生すべきタイミングを逸失するのを抑制できる。
【００２３】
ここで、「第一所定割合」とは、高濃度に含有する水が流入するような事態が発生する可能性等も適宜考慮し、所望の安全率でイオンの漏出を防止できる、イオン交換容量の下限値と、使用するイオン交換樹脂の初期のイオン交換容量と、の差が、初期のイオン交換容量に占める割合を指す。また、「イオン交換容量の下限値」は、報知手段が起動した時から、イオン交換樹脂の再生に着手するまでの間における、イオンの漏出も考慮して設定されることが好ましい。
【００２４】
（５）  （４）記載の水処理システムにおいて、
前記イオン交換手段は、前記流路の途中に並列して複数設けられ、
前記水処理システムは、前記水が通過する前記イオン交換手段を切り換える切換手段を更に備え、
前記制御手段は、前記検出手段による検出値に基づいて得られる前記供給水に含有されるイオン量が、前記イオン交換樹脂のイオン交換容量の第二所定割合に達していた場合には、前記切換手段を起動する切換判断手段を更に有することを特徴とする水処理システム。
【００２５】
（５）の発明によれば、切換手段及び切換判断手段を設けたので、検出手段による検出値に基づいて得られる供給水に含有されるイオン量が、使用するイオン交換樹脂のイオン交換容量の第二所定割合に達していた場合には、切換判断手段が切換手段を起動させる。これにより、水が通過するイオン交換手段が切り換わり、イオン交換容量が充分に残存するイオン交換手段へと水が流れるから、イオンの漏出をより確実に抑制できる。
【００２６】
ここで、切換判断手段は、所望の安全率でイオンの漏出を防止できる、イオン交換容量の下限値を超えるイオン交換容量を有するイオン交換手段に切り換わるように、切換手段を制御する。
【００２７】
ここで、「第二所定割合」は、「第一所定割合」以上に設定されることが好ましい。これにより、報知手段が起動した後、イオン交換樹脂の再生が行われなかった場合でも、切換手段がイオン交換手段の切換を行うので、イオンの漏出を抑制できる。
【００２８】
（６）  水が流れる流路と、この流路の途中に設けられイオン交換樹脂が収容されたイオン交換手段と、を備える水処理システムの制御方法であって、
前記イオン交換樹脂に供給される供給水に含有されるイオン量を検出する検出手順と、
前記検出手順における検出値が、前記イオン交換樹脂のイオン交換容量の所定割合に達していた場合には、前記イオン交換樹脂の再生を指示する指示情報を報知する報知手順と、を備えることを特徴とする水処理システムの制御方法。
【００２９】
（６）記載の制御方法は、（１）〜（５）記載の水処理システムを、制御方法として展開したものである。
従って、（６）の発明によれば、（１）〜（５）と同様の効果が得られる。
【発明の効果】
【００３０】
本発明によれば、検出手段を設けたので、イオン交換樹脂に供給される供給水に含有されるイオン量が検出されるから、イオン交換樹脂のイオン交換容量の残量値を把握できる。このため、高濃度に含有する水が流入するような事態が発生する可能性等も適宜考慮し、所望の安全率でイオンの漏出を防止できる、イオン交換容量の下限値を設定すれば、把握されるイオン交換容量の残量値が下限値に至るまで、過不足なく交換すべき対象のイオンをイオン交換樹脂に吸着させることができる。
従って、スケール、スラッジ、腐食等の発生を充分に抑制でき且つイオン交換樹脂の再生頻度を抑制できる。
【発明を実施するための最良の形態】
【００３１】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００３２】
図１は、本発明の一実施形態に係る水処理システム１のブロック図である。
水処理システム１は、脱塩装置１０と、検出手段としての検出装置２０と、報知部３０と、演算装置４０と、を備える。
【００３３】
脱塩装置１０は、水の一例としての原水が流れる流路としての原水流路１１と、この原水流路１１が並列に分かれた原水流路１１ａ、１１ｂの途中に設けられイオン交換樹脂１２１ａ及び１２１ｂが各々収容されたイオン交換手段としてのイオン交換器１２ａ及び１２ｂと、を有する。
【００３４】
イオン交換樹脂１２１ａ及び１２１ｂとしては、陽イオン濃度、陰イオン濃度のいずれについても検出できるものが使用される。これら陽イオン交換樹脂及び陰イオン交換樹脂は、原水が流れる方向に沿って直列に配置されている。
【００３５】
原水流路１１を流れる原水は、復水器８０から供給され、イオン交換器１２ａ又は１２ｂを通過して、ボイラ９０へと導入される。原水流路１１は、イオン交換器１２ａ及び１２ｂの上流において分岐した分岐路２６を有する。この分岐路２６は後述するイオン分離器２１に連通し、分岐路２６の途中には採取弁２６１が設けられている。分岐路２６及び採取弁２６１は、採取手段を構成する。
【００３６】
原水流路１１ａ及び１１ｂにおけるイオン交換器１２ａ及び１２ｂの上流には原水供給弁１１３ａ及び１１３ｂがそれぞれ設けられ、下流には原水放出弁１１４ａ及び１１４ｂがそれぞれ設けられている。また、原水流路１１におけるイオン交換器１２ａ及び１２ｂの上流には、原水流量計１１１が設けられている。
【００３７】
原水供給弁１１３ａ〜１１３ｂ、原水放出弁１１４ａ〜１１４ｂは、後述する演算部４１にそれぞれ接続され、独立して制御できるように構成されている。これにより、原水供給弁１１３ａ〜１１３ｂ、原水放出弁１１４ａ〜１１４ｂは、切換手段を構成する。
【００３８】
検出装置２０は、分岐路２６に接続されイオン交換樹脂２１１が収容されたイオン分離手段としてのイオン分離器２１と、このイオン分離器２１に再生水供給路２４を介して再生水を供給する再生水供給手段としての酸供給器２２及びアルカリ供給器２３と、排出路２５を介してイオン分離器２１を通過した採取水（分岐路２６を通じて採取された原水を指す）又は再生水を排出する図示しない排出手段としての排出口と、を有する。
【００３９】
イオン交換樹脂２１１は、陽イオン交換樹脂及び陰イオン交換樹脂を有する。これら陽イオン交換樹脂及び陰イオン交換樹脂は、再生水が流れる方向に沿って直列に配置されている。
【００４０】
再生水供給路２４は、酸供給路２４１を介して酸供給器２２に、アルカリ供給路２４２を介してアルカリ供給器２３に連通する。酸供給路２４１の途中には酸供給弁２４３が、アルカリ供給路２４２の途中にはアルカリ供給弁２４４が、それぞれ設けられている。再生水をイオン分離器２１に導入することによって、イオン交換樹脂２１１に吸着されたイオンが脱離され、イオン交換樹脂２１１が再生される。
【００４１】
排出路２５の途中には、吸着量検出手段としての排出路導電率計２５１と、が設けられている。
【００４２】
イオン分離器２１、排出路導電率計２５１は、採取水検出手段を構成する。
【００４３】
報知部３０は、イオン交換器１２ａ及び１２ｂに各々収容されたイオン交換樹脂１２１ａ及び１２１ｂの再生を指示する指示情報を報知する。具体的には、報知部３０は、モニタ３１と、スピーカ３２と、を有し、後述の演算部４１に接続されている。
【００４４】
図２は、演算装置４０のブロック図である。
演算装置４０は、演算部４１と、採取水検出手段としての原水流量計１１１、排出路導電率計２５１と、を備える。
原水流量計１１１は、供給水の量を測定し、演算部４１へと送信する。
排出路導電率計２５１は、イオン分離器２１に収容されたイオン交換樹脂２１１に吸着されたイオン量を測定し、演算部４１へと送信する。
【００４５】
演算部４１は、算出部４１１と、制御手段としての制御部４２と、を備える。制御部４２は、報知判断手段としての報知判断部４２１と、切換判断手段としての切換判断部４２２と、を有する。
【００４６】
算出部４１１は、イオン交換樹脂１２１ａ及び１２１ｂに供給される原水に含有されるイオン量を算出する。具体的には、排出路導電率計２５１の検出値及び原水流量計１１１の検出値に基づいて、供給水に含有されるイオン量を算出する。排出路導電率計２５１の検出値は、採取水に含有されるイオン濃度に相当し、供給水に含有されるイオン濃度に略等しいものとみなせる。従って、排出路導電率計２５１の検出値と、供給水の量に相当する原水流量計１１１の検出値との積は、供給水に含有されるイオン量に相当する。
【００４７】
報知判断部４２１は、モニタ３１及びスピーカ３２を起動させるか否かを判断する。具体的には、算出部４１１による算出の結果に基づいて、供給水に含有されるイオン量が、イオン交換樹脂１２１ａ又は１２１ｂのイオン交換容量の第一所定割合（例えば、８０％）に達していた場合には、モニタ３１及びスピーカ３２を起動させる。
【００４８】
起動したモニタ３１及びスピーカ３２は、所定の画像及び音声をそれぞれ出力し、イオン交換樹脂１２１の再生を指示する指示情報を報知する。報知態様としては特に限定されないが、例えば、「イオン交換樹脂を再生して下さい」といったメッセージをモニタ３１が表示し、スピーカ３２が音声で出力してよい。また、スピーカ３２が一定の警報音を出力する態様でもよい。
【００４９】
切換判断部４２２は、原水が通過するイオン交換器を切り換えるか否かを判断する。具体的には、算出部４１１による算出の結果に基づいて、供給水に含有されるイオン量が、イオン交換樹脂１２１ａ又は１２１ｂのイオン交換容量の第二所定割合（例えば、８５％）に達していた場合には、原水供給弁１１３ａ及び１１３ｂ、原水放出弁１１４ａ及び１１４ｂの開閉状況を変更することで、原水が通過するイオン交換器を切り換える。
【００５０】
例えば、イオン交換器１２ａが原水の脱塩処理を行う場合、原水供給弁１１３ａ及び１１３ｂ、原水放出弁１１４ａ及び１１４ｂのうち、原水供給弁１１３ａ及び原水放出弁１１４ａのみが開いている。ここで、供給水に含有されるイオン量が、イオン交換樹脂１２１ａ又は１２１ｂのイオン交換容量の第二所定割合（例えば、８５％）に達していたと判断された場合、原水供給弁１１３ａ及び原水放出弁１１４ａを閉じるとともに、原水供給弁１１３ｂ及び原水放出弁１１４ｂを開くことにより、原水が通過するイオン交換器１２ｂへと切り換わる。
【００５１】
以上の水処理システム１の動作について、図３を参照しながら説明する。
まず、原水の脱塩処理を開始する（ＳＴ１）。具体的には、原水供給弁１１３ａ〜１１３ｂ、原水放出弁１１４ａ〜１１４ｂ、酸供給弁２４３、アルカリ供給弁２４４を全て閉じた後、原水供給弁１１３ａを開くことにより、原水が、復水器８０から原水流路１１、１１ａを介して、イオン交換器１２ａに収容されたイオン交換樹脂１２１ａに導入される。イオン交換樹脂１２１ａに導入された原水に含有されるイオンのうち陽イオンはイオン交換樹脂１２１ａの陽イオン交換樹脂に吸着されていた水素イオンと、陰イオンはイオン交換樹脂１２１ａの陰イオン交換樹脂に吸着されていた水酸化物イオンと、それぞれ交換される。放出された原水は、イオン交換器１２ａを通過し、再び原水流路１１内をボイラ９０へと流れる。
【００５２】
原水の脱塩処理の開始とともに、供給水に含有されるイオン量の検出を開始する（ＳＴ２）。具体的には、採取弁２６１を開くことによって、供給水の一部が分岐路２６に流れこみ、イオン分離器２１に収容されたイオン交換樹脂２１１に導入される。イオン交換樹脂２１１に導入された採取水に含有されるイオンは、イオン交換樹脂２１１によって種々のイオンに分離された後、排出路２５に放出される。排出路導電率計２５１は、排出路２５に放出された各種イオンの濃度を測定し、陽イオン濃度及び陰イオン濃度を求める。そして、算出部４１１が、排出路導電率計２５１の検出値及び原水流量計１１１の検出値に基づいて、供給水に含有される陽イオン量及び陰イオン量を算出する。
【００５３】
続いて、報知判断部４２１が、供給水に含有される陽イオン量がイオン交換樹脂１２１ａを構成する陽イオン交換樹脂の交換容量の第一所定割合に達しているか否かを判断する（ＳＴ３）。この判別が“ＮＯ”であった場合には、ＳＴ２へと戻り、供給水中のイオン量の検出を継続する。
【００５４】
一方、ＳＴ３の判別が“ＹＥＳ”であった場合には、報知判断部４２１がモニタ３１及びスピーカ３２を起動し、これらモニタ３１及びスピーカ３２がイオン交換樹脂１２１ａの再生を指示する指示情報を報知する（ＳＴ４）。続いて、ＳＴ５へと移る。
【００５５】
ＳＴ５では、切換判断部４２２が、供給水に含有される陽イオン量がイオン交換樹脂１２１ａを構成する陽イオン交換樹脂の交換容量の第二所定割合に達しているか否かを判断する。この判別が“ＮＯ”であった場合には、そのまま終了する。
【００５６】
一方、ＳＴ５における判別が“ＹＥＳ”であった場合には、切換判断部４２２は、原水が通過するイオン交換器を切り換え（ＳＴ６）、その後、終了する。具体的には、切換判断部４２２が、原水供給弁１１３ａ及び原水放出弁１１４ａを閉じるとともに、原水供給弁１１３ｂ及び原水放出弁１１４ｂを開く。これにより、原水が流れる流路は、原水流路１１ａから原水流路１１ｂに切り換わる。
【００５７】
本実施形態によれば、以下のような作用効果が得られる。
（Ａ）検出装置２０を設けたので、イオン交換樹脂１２１ａ及び１２１ｂに供給される供給水に含有されるイオン量が検出されるから、イオン交換樹脂１２１ａ及び１２１ｂのイオン交換容量の残量値を把握できる。このため、高濃度に含有する水が流入するような事態が発生する可能性等も適宜考慮し、所望の安全率でイオンの漏出を防止できる、イオン交換容量の下限値を設定すれば、把握されるイオン交換容量の残量値が下限値に至るまで、過不足なく交換すべき対象のイオンをイオン交換樹脂１２１ａ及び１２１ｂに吸着させることができる。
従って、スケール、スラッジ、腐食等の発生を充分に抑制でき且つイオン交換樹脂の再生頻度を抑制できる。
【００５８】
（Ｂ）原水流路１１に分岐路２６を設け、検出装置２０に排出路導電率計２５１及び原水流量計１１１を設けたので、排出路導電率計２５１によって採取水に含有されるイオン濃度が検出され、原水流量計１１１によって供給水の量が検出される。このため、これらの検出値の積を算出するだけで、供給水に含有されるイオン量が検出されるから、イオン交換樹脂１２１ａ及び１２１ｂのイオン交換容量の残量値を容易に把握できる。
従って、容易に、スケール、スラッジ、腐食等の発生を充分に抑制でき且つイオン交換樹脂の再生頻度を抑制できる。
【００５９】
（Ｃ）少量の採取水についての調査を行う検出装置２０に、イオン交換樹脂２１１を使用したので、イオン交換樹脂２１１の使用量も少量で足りるから、使用者に与える費用的負担を軽減できる。
従って、検出装置２０にイオン交換樹脂２１１を用いても、容易且つ安価に、スケール、スラッジ、腐食等の発生を充分に抑制でき且つイオン交換樹脂の再生頻度を抑制できる。
【００６０】
（Ｄ）報知部３０と、制御部４２を含む演算装置４０と、を水処理システム１に更に設けたので、所望の安全率でイオンの漏出を防止できるイオン交換容量の下限値を下回ったような場合には指示情報が報知部３０によって報知されるから、イオン交換樹脂１２１ａ及び１２１ｂを再生すべきタイミングを逸失するのを抑制できる。
【００６１】
（Ｅ）原水供給弁１１３ａ、１１３ｂ、及び、原水放出弁１１４ａ、１１４ｂを脱塩装置１０に設け、切換判断部４２２を制御部４２に設けたので、検出装置２０による検出値に基づいて得られる供給水に含有されるイオン量が、例えば、使用するイオン交換樹脂１２１ａのイオン交換容量の第二所定割合に達していた場合には、切換判断部４２２が原水供給弁１１３ａ及び原水放出弁１１４ａを閉じるとともに、原水供給弁１１３ｂ及び、原水放出弁１１４ｂを開く制御を行う。これにより、水が通過するイオン交換器が切り換わり、イオン交換容量が充分に残存するイオン交換器１２ｂへと水が流れるから、イオンの漏出をより確実に抑制できる。
【００６２】
なお、本発明は前記実施形態に限定されるものではなく、本発明の目的を達成できる範囲での変形、改良等は本発明に含まれるものである。
【図面の簡単な説明】
【００６３】
【図１】本発明の一実施形態に係る水処理システムのブロック図である。
【図２】前記実施形態に係る制御手段のブロック図である。
【図３】前記実施形態に係る水処理システムのフローチャートである。
【符号の説明】
【００６４】
１  水処理システム
１０  脱塩装置
１１、１１ａ、１１ｂ  原水流路（流路）
１２ａ、１２ｂ  イオン交換器（イオン交換手段）
２０  検出装置（検出手段）
２１  イオン分離器（イオン分離手段）
２６  分岐路（採取手段）
３０  報知部（報知手段）
４２  制御部（制御手段）
１１１  原水流量計（供給水量検出手段）
１１３ａ、１１３ｂ  原水供給弁（切換手段）
１１４ａ、１１４ｂ  原水放出弁（切換手段）
１２１ａ、１２１ｂ  イオン交換樹脂
２１１  イオン交換樹脂
２５１  排出路導電率計（採取水検出手段、イオン濃度検出手段）
２６１  採取弁（採取手段）
４２１  報知判断部（報知判断手段）
４２２  切換判断部（切換判断手段）
【図１】
2007260633.tif 000003
【図２】
2007260633.tif 000004
【図３】
2007260633.tif 000005